(57)【要約】【課題】  本発明は、使い勝手を向上させ得る編集システムを提案する。【解決手段】  記録装置と情報処理装置とからなる編集システムにおいて、記録装置は、外部音を集音する集音手段と、集音手段により集音された外部音に基づく音声情報を所定の記録媒体に記録する記録手段と、記録手段により記録された音声情報を格納するためのフォルダを表すフォルダ表示情報を表示する第１の表示手段とを設け、情報処理装置は、所定のグラフィカルユーザインターフェースを表示する第２の表示手段と、グラフィカルユーザインターフェースに表示されたフォルダ表示情報のうち、外部操作により指定されたフォルダ表示情報を変更する変更手段とを設け、記録装置の第１の表示手段は、情報処理装置の変更手段により変更されたフォルダ表示情報に基づいて、フォルダ表示情報を変更して表示するようにした。【選択図】        図２７
2006173797.tif 000002
【特許請求の範囲】
【請求項１】
可搬型の記録装置と情報処理装置とからなる編集システムにおいて、
上記記録装置は、
外部音を集音する集音手段と、
上記集音手段により集音された上記外部音に基づく上記音声情報を所定の記録媒体に記録する記録手段と、
上記記録手段により記録された上記音声情報を格納するためのフォルダを表すフォルダ表示情報を表示する第１の表示手段と
を具え、
上記情報処理装置は、
所定のグラフィカルユーザインターフェースを表示する第２の表示手段と、
上記グラフィカルユーザインターフェースに表示された上記フォルダ表示情報のうち、外部操作により指定された上記フォルダ表示情報を変更する変更手段と
を具え、
上記記録装置の上記第１の表示手段は、
上記情報処理装置の上記変更手段により変更された上記フォルダ表示情報に基づいて、上記フォルダ表示情報を変更して表示する
ことを特徴とする編集システム。
【請求項２】
上記変更手段は、
複数の変更可能な上記フォルダ表示情報を上記第２の表示手段に表示させて、予め設定されている規定の上記フォルダ表示情報に代え、複数の変更可能な上記フォルダ表示情報から所望する上記フォルダ表示情報を選択させる
ことを特徴とする請求項１に記載の編集システム。
【請求項３】
上記記録装置は、
外部を撮影する撮影手段
を具え、
上記記録手段は、
上記撮影手段により撮影された上記外部に基づく上記画像情報が１又は複数の音声位置に関連付けられている音声情報を記録する
ことを特徴とする請求項１に記載の編集システム。
【請求項４】
上記フォルダ表示情報は、
フォルダアイコン、又はフォルダアイコン及びそのフォルダタイトルでなる
ことを特徴とする請求項１に記載の編集システム。
【請求項５】
可搬型の記録装置と情報処理装置とからなる編集システムの設定方法において、
上記記録装置において、外部音を集音し、集音結果に応じた音声情報を所定の記録媒体に記録する第１のステップと、
上記情報処理装置において、所定のグラフィカルユーザインターフェースを表示する第２のステップと、
上記グラフィカルユーザインターフェースに表示された上記記録媒体に記録された上記音声情報を格納するための上記フォルダを表すフォルダ表示情報のうち、外部操作により指定された上記フォルダ表示情報を変更する第３のステップと、
上記第３のステップにおいて変更された上記フォルダ表示情報に基づいて、上記記録装置において上記フォルダ表示情報を変更して表示する第４のステップと
を具えることを特徴とする編集システムの設定方法。
【請求項６】
上記第３のステップでは、
複数の変更可能な上記フォルダ表示情報を上記第２の表示手段に表示させて、予め設定されている規定の上記フォルダ表示情報に代え、複数の変更可能な上記フォルダ表示情報から所望する上記フォルダ表示情報を選択させる
ことを特徴とする請求項５に記載の編集システムの設定方法。
【請求項７】
上記第１のステップでは、
外部を撮影し、撮影結果に応じた上記外部に基づく上記画像情報が１又は複数の音声位置に関連付けられている音声情報を記録する
ことを特徴とする請求項５に記載の編集システムの設定方法。
【請求項８】
上記フォルダ表示情報は、
フォルダアイコン、又はフォルダアイコン及びそのフォルダタイトルでなる
ことを特徴とする請求項５に記載の編集システムの設定方法。
【発明の詳細な説明】
【技術分野】
【０００１】
本発明は、編集システム及びその設定方法に関し、特に記録装置と情報処理装置とからなる編集システムに適用して好適なものである。
【背景技術】
【０００２】
従来、携帯型の音声記憶装置として、ＩＣレコーダがある。ＩＣレコーダは、内蔵するマイクロホンにより外部音声を集音し、得られた音声データを圧縮符号化処理して内蔵の半導体メモリや装填された外部メモリに記憶するものである。
【０００３】
このようなＩＣレコーダは、小型軽量に構成されて可搬性に優れているため、近年では会議や打ち合わせ等のビジネスシーンにおいて用いられる一方で、パーソナルユースの音声メモ機器としても広く用いられている。
【０００４】
さらに近年では、ＣＣＤ（Charge Coupled Device）カメラが搭載され、録音中に当該ＣＣＤカメラにより撮像した画像の画像情報をそのときの音声位置と関連付けて保存でき、その後かかる画像を手掛かりとして所望の音声位置に容易にアクセスし得るようになされたカメラ付きＩＣレコーダなども本願特許出願人により提案されている。
【非特許文献１】特願２００４−２５６１９９
【発明の開示】
【発明が解決しようとする課題】
【０００５】
ところで、このようなＩＣレコーダには、ＩＣレコーダ内に保存されている録音音声の音声ファイルを複数のフォルダに区分して格納し得る機能や、当該音声ファイルを再生したり又は編集し得る機能を有している。
【０００６】
しかしながら、このようにＩＣレコーダ内に保存されている録音音声の音声ファイルを当該ＩＣレコーダ上で再生又は編集する場合、一連の音声ファイルの中から所望の音声ファイルを探し出す作業は煩雑であり、このため音声ファイルを格納するフォルダや録音音声の音声ファイルの内容を直感的に認識できれば、当該音声ファイルを格納するフォルダや録音音声の音声ファイルを容易に検索でき、この結果、ユーザの使い勝手がより向上するものと考えられる。
【０００７】
本発明は以上の点を考慮してなされたもので、使い勝手を格段的に向上させ得る編集システム及びその設定方法を提案しようとするものである。
【課題を解決するための手段】
【０００８】
かかる課題を解決するため本発明においては、記録装置と情報処理装置とからなる編集システムにおいて、記録装置は、外部音を集音する集音手段と、集音手段により集音された外部音に基づく音声情報を所定の記録媒体に記録する記録手段と、記録手段により記録された音声情報を格納するためのフォルダを表すフォルダ表示情報を表示する第１の表示手段とを設け、情報処理装置は、所定のグラフィカルユーザインターフェースを表示する第２の表示手段と、グラフィカルユーザインターフェースに表示されたフォルダ表示情報のうち、外部操作により指定されたフォルダ表示情報を変更する変更手段とを設け、記録装置の第１の表示手段は、情報処理装置の変更手段により変更されたフォルダ表示情報に基づいて、フォルダ表示情報を変更して表示するようにした。
【０００９】
従って、フォルダ表示情報に基づいて、フォルダに格納されている音声情報の内容をユーザが直感的に認識することができるため、特に、可搬型の記録装置の第１の表示手段に表示させたときの視認性を向上させることができる。
【００１０】
また本発明においては、記録装置と情報処理装置とからなる編集システムの設定方法において、記録装置において、外部音を集音し、集音結果に応じた音声情報を所定の記録媒体に記録する第１のステップと、情報処理装置において、所定のグラフィカルユーザインターフェースを表示する第２のステップと、グラフィカルユーザインターフェースに表示された記録媒体に記録された音声情報を格納するためのフォルダを表すフォルダ表示情報のうち、外部操作により指定されたフォルダ表示情報を変更する第３のステップと、第３のステップにおいて変更されたフォルダ表示情報に基づいて、記録装置においてフォルダ表示情報を変更して表示する第４のステップとを設けるようにした。
【００１１】
従って、フォルダ表示情報に基づいて、フォルダに格納されている音声情報の内容をユーザが直感的に認識することができるため、特に、可搬型の記録装置の第１の表示手段に表示させたときの視認性を向上させることができる。
【発明の効果】
【００１２】
本発明によれば、記録装置と情報処理装置とからなる編集システムにおいて、記録装置は、外部音を集音する集音手段と、集音手段により集音された外部音に基づく音声情報を所定の記録媒体に記録する記録手段と、記録手段により記録された音声情報を格納するためのフォルダを表すフォルダ表示情報を表示する第１の表示手段とを設け、情報処理装置は、所定のグラフィカルユーザインターフェースを表示する第２の表示手段と、グラフィカルユーザインターフェースに表示されたフォルダ表示情報のうち、外部操作により指定されたフォルダ表示情報を変更する変更手段とを設け、記録装置の第１の表示手段は、情報処理装置の変更手段により変更されたフォルダ表示情報に基づいて、フォルダ表示情報を変更して表示するようにしたことにより、フォルダ表示情報に基づいて、フォルダに格納されている音声情報の内容をユーザが直感的に認識することができるため、特に、可搬型の記録装置の第１の表示手段に表示させたときの視認性を向上させることができ、かくして使い勝手を格段的に向上させ得る編集システムを実現できる。
【００１３】
また本発明によれば、記録装置と情報処理装置とからなる編集システムの設定方法において、記録装置において、外部音を集音し、集音結果に応じた音声情報を所定の記録媒体に記録する第１のステップと、情報処理装置において、所定のグラフィカルユーザインターフェースを表示する第２のステップと、グラフィカルユーザインターフェースに表示された記録媒体に記録された音声情報を格納するためのフォルダを表すフォルダ表示情報のうち、外部操作により指定されたフォルダ表示情報を変更する第３のステップと、第３のステップにおいて変更されたフォルダ表示情報に基づいて、記録装置においてフォルダ表示情報を変更して表示する第４のステップとを設けるようにしたことにより、フォルダ表示情報に基づいて、フォルダに格納されている音声情報の内容をユーザが直感的に認識することができるため、特に、可搬型の記録装置の第１の表示手段に表示させたときの視認性を向上させることができ、かくして使い勝手を格段的に向上させ得る編集システムの設定方法を実現できる。
【発明を実施するための最良の形態】
【００１４】
以下図面について、本発明の一実施の形態を詳述する。
【００１５】
（１）本実施の形態によるカメラ付きＩＣレコーダ１の外観構成
（１−１）カメラ付きＩＣレコーダの外観構成
図１〜図３において、１は全体として本実施の形態によるカメラ付きＩＣレコーダ１を示し、全体として丸みを帯びた縦長形状の本体部２の上部に、ＣＣＤ（Charge Coupled Device）カメラ３が取り付けられたＬＣＤカバー部４が上方向（矢印ｚ方向）にスライド自在に配設されている。
【００１６】
本体部２においては、背面２Ａの上部左右両側にそれぞれ集音孔５Ａ、５Ｂが穿設されると共に、これら集音孔にそれぞれ対応させてその内部にマイクロホン２０Ａ、２０Ｂ（図５）が収納されており、かくしてこれらマイクロホン２０Ａ、２０Ｂが対応する集音孔５Ａ、５Ｂを介して外部音声を集音し得るようになされている。
【００１７】
また本体部２の前面２Ｂの中段位置には録音ボタン６Ａが配設されており、この録音ボタン６Ａを押圧操作することによって、各マイクロホン２０Ａ、２０Ｂにより集音された外部音声の録音動作を開始させることができるようになされている。
【００１８】
さらに本体部２の前面２Ｂの上段位置には、図３に示すように、高解像度のカラー液晶ディスプレイでなるＬＣＤ７が配設され、この図３のようにＬＣＤカバー部４を上方向に引き出し、後述のようにＬＣＤカバー部４のカメラカバー８をＣＣＤカメラ３が露出するように回転させた状態において、ＬＣＤ７の下側に配設されたライブビューボタン６Ｂを押圧操作することによって、そのときＣＣＤカメラ３により撮影されている動画像をこのＬＣＤ７に表示させ得るようになされている。
【００１９】
さらに本体部２のライブビューボタン６Ｂの左横にはカメラシャッタボタン６Ｃが配設され、ＬＣＤ７に動画像が表示されている状態においてこのカメラシャッタボタン６Ｃを押圧操作することによって、ＬＣＤ７に表示されていた動画像のうちのカメラシャッタボタン６Ｃを押圧操作した瞬間の１フレーム分の静止画像を取り込んで保存させることができるようになされている。
【００２０】
一方、本体部２の右側面２Ｃにはメニューボタン６Ｄが配設され、このメニューボタン６Ｄを押圧操作することによって、ＬＣＤ７に所定のメニュー画面を表示させ得るようになされている。また本体部２の右側面２Ｃにおけるメニューボタン６Ｄの下側にはジョグレバー６Ｅが配設され、このジョグレバー６Ｅを上下左右方向に倒し又は押圧するように操作することによって、メニュー画面内に表示された各種選択肢の中から所望の選択肢を選択し又はその選択肢を選択対象として決定し得るようになされている。
【００２１】
さらに本体部２の右側面２Ｃにおけるジョグレバー６Ｅの下側には、停止ボタン６Ｆが配設されると共に当該停止ボタン６Ｆの下側にはボリュームボタン６Ｇが配設されており、この停止ボタン６Ｆを押圧操作することによって録音動作や再生動作を停止させることができ、また再生動作時にボリュームボタン６Ｇの上側又は下側を押圧操作することによって、このときＬＣＤ７の裏側に配設されたスピーカ３１（図５）から出力される再生音声の音量を上げ又は下げることができるようになされている。
【００２２】
さらに本体部２の左側面２Ｄにおける電源コネクタ９の下側には、ＵＳＢ（Universal Serial Bus）コネクタ１０が配設されており、このＵＳＢコネクタ１０を介してパーソナルコンピュータ等の外部機器とＵＳＢ接続することができるようになされている。これによりこのカメラ付きＩＣレコーダ１においては、かかるＵＳＢ接続された外部機器との間でこのカメラ付きＩＣレコーダ１内に保存された録音音声の音声データや録画画像の画像データを外部機器に出力したり、当該外部機器から与えられる音声データや画像データを取り込み得るようになされている。
【００２３】
これに対してＬＣＤカバー部４の上部には、円柱形状のカメラカバー８が回転自在に配設されると共に、このカメラカバー８の所定位置には、上述のＣＣＤカメラ３がその光学軸を当該カメラカバー８の中心軸と垂直な方向に向けて取り付けられている。
【００２４】
これによりこのカメラ付きＩＣレコーダ１においては、カメラカバー８をＣＣＤカメラ３が下向きとなる原点位置に位置させることで不使用時のＣＣＤカメラ３を保護する一方、この状態からカメラカバー８を矢印ａ方向に回転させて、ＣＣＤカメラ３を本体部２の背面２Ａ側の正面位置に位置させることによって、ＬＣＤ７に表示される動画像を目視しながら所望の画像を撮影することができるようになされている。
【００２５】
（１−２）カメラ付きＩＣレコーダ１の内部構成
ここで図４は、このカメラ付きＩＣレコーダ１の内部構成を示すものである。
【００２６】
このカメラ付きＩＣレコーダ１においては、電源投入時、外部音声をマイクロホン２０Ａ、２０Ｂにより集音し、得られた音声信号Ｓ１を増幅器２１を介してＡＤ(Analog・Digital)／ＤＡ(Digital・Analog)コンバータ２２に入力する。またＡＤ／ＤＡコンバータ２２は、供給される音声信号Ｓ１を順次ディジタル変換処理し、得られた音声データＤ１をデータ処理及び制御部２３に順次送出する。
【００２７】
データ処理及び制御部２３は、このカメラ付きＩＣレコーダ１全体の制御を司るＣＰＵ(Central Processing Unit)２４、各種プログラムが格納されたＲＯＭ(Read Only Memory)２５及び当該ＣＰＵ２４のワークメモリとしてのＲＡＭ(Random Access Memory)２６を含んでなるマイクロコンピュータ構成の制御部２７と、音声データＤ１及び後述する画像データＤ３に対するデータ圧縮伸張機能を有するＤＳＰ(Digital Signal Processor)２８とから構成される。
【００２８】
そしてデータ処理及び制御部２３の制御部２７には、操作部を構成する上述の録音ボタン６Ａ、ライブビューボタン６Ｂ、カメラシャッタボタン６Ｃ、メニューボタン６Ｄ、ジョグレバー６Ｅ、停止ボタン６Ｆ及びボリュームスイッチ６Ｇのいずれかが操作されたときに、これに応じた操作入力信号Ｓ２が操作部６（６Ａ〜６Ｇ）から与えられる。
【００２９】
また制御部２７には、ＬＣＤカバー部４内に設けられた図示しない第１のセンサから、ＬＣＤカバー部４が図１のように閉じられた閉状態及び図３のように開いた開状態のいずれの状態にあるかを表すＬＣＤカバー状態信号Ｓ３が与えられると共に、ＬＣＤカバー部４内に設けられた図示しない第２のセンサから、カメラカバー８の回転状態が、ＣＣＤカメラ３が露出していない閉状態及びＣＣＤカメラ３が露出した開状態のいずれの状態にあるかを表すカメラカバー状態信号Ｓ４が与えられる。
【００３０】
かくして制御部２７のＣＰＵ２４は、操作入力信号Ｓ２に基づいてユーザの操作内容を認識すると共に、ＬＣＤカメラカバー状態信号Ｓ３及びカメラカバー状態信号Ｓ４に基づいて現在のＬＣＤカバー部４及びカメラカバー８の状態を検知し、これら認識及び検知結果に基づいて対応する制御処理を実行する。
【００３１】
実際上、ＣＰＵ２４は、ＬＣＤカバー部４及びカメラカバー８の少なくともいずれか一方が閉じた状態にあることを検知している場合において、録音ボタン６Ａが押圧操作されたことを認識すると、動作モードを録音モードに遷移してＤＳＰ２８を制御することにより、ＡＤ／ＤＡコンバータ２２から出力される音声データＤ１に対してＬＰＥＣ（ソニー株式会社  登録商標）等の所定の音声圧縮方式に準拠した音声圧縮処理を実行させ、得られた圧縮音声データＤ２を内蔵するフラッシュメモリ２９に順次格納させる。
【００３２】
またＣＰＵ２４は、この後停止ボタン６Ｆが押圧操作されたことを認識すると、ＤＳＰ２８を制御することにより、ＡＤ／ＤＡコンバータ２２から与えられる音声データＤ１に対する音声圧縮処理を停止させる一方、そのときユーザにより選択されていた後述するフォルダ（図６の「FOLDER1」〜「FOLDER3」）内に新たな用件フォルダ（図６の「03072400」〜「03072408」）を生成し、かかる圧縮音声データＤ２をファイル化して、得られた音声ファイル（図６の「03072400.MSV」）をその用件フォルダに収納する。またＣＰＵは、その用件フォルダの管理情報を後述の管理ファイルＭＳＦ（図７）に格納する。
【００３３】
一方、ＣＰＵ２４は、ＬＣＤカバー部４及びカメラカバー８の双方が開状態となったことを検知すると、動作モードをカメラモードに遷移させて、ＣＣＤカメラ３を制御することによりＣＣＤカメラ３を起動させる。この結果、そのときＣＣＤカメラ３により撮影されている光景についての画像信号Ｓ５が当該ＣＣＤカメラ３から順次出力され、これがデータ処理及び制御部２３に与えられる。
【００３４】
そしてＣＰＵ２４は、この状態においてライブビューボタン６Ｂが押圧操作されたことを認識すると、これに応じてＤＳＰ２８を制御する。かくしてこのときＤＳＰ２８は、かかるＣＣＤカメラ３から与えられる画像信号Ｓ５を順次ディジタル変換し、得られた画像データＤ３をＬＣＤ７に送出する。この結果、この画像データＤ３に基づくそのときＣＣＤカメラ３により撮影されている光景の動画像がリアルタイムでＬＣＤ７に表示される。
【００３５】
さらにＣＰＵ２４は、この後この状態においてカメラシャッタボタン６Ｃが押圧操作されたことを認識すると、これに応じてＤＳＰ２８を制御する。かくして、このときＤＳＰ２８は、画像データＤ３に基づき得られるそのカメラシャッタボタン６Ｃが押圧された瞬間の１フレーム分の静止画像の画像データＤ３を取り込み、この取り込んだ画像データＤ３に対して例えばＪＰＥＧ(Joint Photographic Experts Group)等の所定の画像圧縮方式に準拠した画像圧縮処理を施し、得られた圧縮画像データＤ４をフラッシュメモリ２９に格納する。
【００３６】
そしてＣＰＵ２４は、この後そのときユーザにより選択されていたフォルダ内に新たな用件フォルダを生成し、かかる圧縮画像データＤ４からなる画像ファイル（図６の「P0000000.JPG」〜「P0000003.JPG」）をその用件フォルダに収納して、その用件フォルダの管理情報を管理ファイルＭＳＦに格納する。
【００３７】
他方、ＣＰＵ２４は、ＬＣＤカバー部４及びカメラカバー８の双方が開いた状態にあることを検知している場合において、録音ボタン６Ａが押圧操作されたことを認識すると、動作モードを録音録画モードに遷移させると共に、これに応じてＤＳＰ２８を制御する。
【００３８】
このときＤＳＰ２８は、上述した録音モード時と同様にＡＤ／ＤＡコンバータ２２から与えられる音声データＤ１に対して順次所定の音声圧縮処理を施し、得られた圧縮音声データＤ２をフラッシュメモリ２９に格納する。またこのときＤＳＰ２８は、上述したカメラモード時と同様に、ＣＣＤカメラ３から与えられる画像信号Ｓ５を順次ディジタル変換し、得られた画像データＤ３をＬＣＤ７に送出する。この結果ＬＣＤ７には、この画像データＤ３に基づくそのときＣＣＤカメラ３により撮影されている光景の動画像がリアルタイムで表示される。
【００３９】
さらにＣＰＵ２４は、この後この状態においてカメラシャッタボタン６Ｃが押圧操作されたことを認識すると、これに応じてＤＳＰ２８を制御する。このときＤＳＰ２８は、カメラモード時と同様に、ＣＣＤカメラ３から与えられる画像信号Ｓ５に基づき得られるそのカメラシャッタボタン６Ｃが押圧された瞬間の１フレーム分の静止画像の画像データＤ３を取り込み、この取り込んだ画像データＤ３に対して画像圧縮処理を施す。
【００４０】
またＤＳＰ２８は、この後かかる画像圧縮処理により得られた圧縮画像データＤ４を、そのカメラシャッタボタン６Ｃが押圧操作された瞬間を後に検索する際の目印となる画像（以下、これをブックマーク画像と呼ぶ）の圧縮画像データＤ４として、そのときフラッシュメモリ２９に順次格納している圧縮音声データＤ２の対応する位置と関連付けてフラッシュメモリ２９に格納する。
【００４１】
そしてＣＰＵ２４は、この後停止ボタン６Ｆが押圧操作されたことを認識すると、そのときユーザにより選択されていたフォルダ内に新たな用件フォルダを生成し、かかる圧縮音声データＤ２からなる音声ファイルと、当該音声ファイルと関連付けられた上述の各圧縮画像データＤ４でなる各画像ファイルとをその用件フォルダに収納して、その用件フォルダの管理情報を管理ファイルＭＳＦに格納する。
【００４２】
このようにしてこのカメラ付きＩＣレコーダ１においては、音声及び静止画像をそれぞれ独立して記録できるだけでなく、静止画像を録音中の音声と関連付けてブックマーク画像として記録することもできるようになされている。
【００４３】
そしてこのカメラ付きＩＣレコーダ１では、このように音声と関連付けて記録されたブックマーク画像に基づいて、所望する用件フォルダや用件フォルダ内の所望の音声位置を検索できる。
【００４４】
実際上、ＣＰＵ２４は、ジョグレバー６Ｅが押圧操作されて、所望するフォルダ内の所望する用件フォルダを選択するための選択画面（以下、これを用件フォルダ選択画面と呼ぶ）又はその用件フォルダ内の所望するブックマーク画像を選択するための選択画面（以下、これをブックマーク画像選択画面と呼ぶ）の表示命令が入力されたことを認識すると、対応する画像データＤ３をＲＯＭ２５から読み出してＬＣＤ７に送出することにより、図５に示すような用件フォルダ選択画面３２や、当該用件フォルダ選択画面３２と同様構成のブックマーク画像選択画面３３（図５）をＬＣＤ７に表示させる。
【００４５】
この場合においてＣＰＵ２４は、用件フォルダ選択画面３２をＬＣＤ７に表示させるに際しては、そのフォルダ内の用件フォルダ毎に、それぞれその用件フォルダについて予め設定された代表的なブックマーク画像（以下、これを代表画像と呼ぶ）の画像ファイル（圧縮画像データＤ４）をフラッシュメモリ２９から読み出し、これをＤＳＰ２８に復号化処理させて、得られた画像データＤ３に基づき所定サイズのサムネイル画像Ｐ１〜Ｐ６を作成する。
【００４６】
そしてＣＰＵ２４は、この図５に示すように、かくして得られた用件フォルダ毎のサムネイル画像Ｐ１〜Ｐ６を用件フォルダ選択画面３２内に一覧表示させる。なお、このとき音声のみの静止画像を含まない用件フォルダについては、サムネイル画像に代えて所定のアイコンが表示される。
【００４７】
またＣＰＵ２４は、その後ジョグレバー６Ｅが操作されて、用件フォルダ選択画面３２内の１つのサムネイル画像Ｐ１〜Ｐ６が選択されると、上述した管理ファイルＭＳＦ（図７）に基づいて、対応する用件フォルダ内の音声ファイル（圧縮音声データＤ２）をフラッシュメモリ２９から読み出し、これをＤＳＰ２８に復号化処理させる。
【００４８】
この結果、かかる復号化処理により得られた音声データＤ１がＤＳＰ２８から出力され、これがＡＤ／ＤＡコンバータ２２においてアナログ変換されて、得られた音声信号Ｓ６が増幅器３０を介してスピーカ３１に与えられる。これにより、このときこの音声信号Ｓ６に基づく音声がスピーカ３１から出力される。
【００４９】
これと同様に、ＣＰＵ２４は、ブックマーク画像選択画面３３（図５）をＬＣＤ７に表示させる際には、かかる管理ファイルＭＳＦに基づいて、対応する用件フォルダ内の各ブックマーク画像の画像ファイル（圧縮像データＤ４）をフラッシュメモリ２９から読み出し、これらをＤＳＰ２８に復号化処理させて、得られた各画像データＤ３に基づき所定サイズのサムネイル画像Ｐ１〜Ｐ６をそれぞれ作成する。そしてＣＰＵ２４は、このようにして得られたブックマーク画像毎のサムネイル画像Ｐ１〜Ｐ６を、ブックマーク画像選択画面３３内に一覧表示させる。
【００５０】
またＣＰＵ２４は、その後ジョグレバー６Ｅが操作されて、ブックマーク画像選択画面３３内の１つのサムネイル画像Ｐ１〜Ｐ６が選択されると、フラッシュメモリ２９から対応する音声ファイルにおけるそのサムネイル画像Ｐ１〜Ｐ６の元のブックマーク画像と対応付けられた音声部分以降の圧縮音声データＤ２を読み出し、これをＤＳＰ２８に復号化処理させる。
【００５１】
この結果、かかる復号化処理により得られた音声データＤ１がＤＳＰ２８から出力され、これがＡＤ／ＤＡコンバータ２２においてアナログ変換されて、得られた音声信号Ｓ６が増幅器３０を介してスピーカ３１に与えられる。これにより、この音声信号Ｓ６に基づいて、選択された用件フォルダにおけるユーザにより選択されたブックマーク画像と対応付けられた音声位置以降の音声がスピーカ３１から出力される。
【００５２】
このようにしてこのカメラ付きＩＣレコーダ１においては、用件フォルダの代表画像や用件フォルダ内の各ブックマーク画像に基づいて、所望する用件フォルダや、用件フォルダ内の所望する音声位置に迅速かつ容易にアクセスし得るようになされている。
【００５３】
（１−３）カメラ付きＩＣレコーダ１におけるデータ管理フォーマットのディレクトリ構造
次に、このカメラ付きＩＣレコーダ１に採用されている、圧縮音声データＤ２や圧縮映像データＤ４のデータ管理フォーマットであるボイスケープフォーマット（Voiscape Format）のディレクトリ構造について説明する。
【００５４】
図６は、かかるボイスケープフォーマットのディレクトリ構造を示すものである。この図６に示すように、録音音声の音声ファイル（「03072400.MSV」）やこれに関連づけて記録されたブックマーク画像の画像ファイル（「P0000000.JPG」〜「P0000003.JPG」）は、「MSSONY」というフォルダ内に作成された「VOISCAPE」というフォルダに格納される。
【００５５】
用件フォルダを収納するフォルダ（「FOLDER1」〜「FOLDER3」）は、この「VOISCAPE」内に存在し、ユーザはこれらフォルダの中から録音音声の音声ファイル等の格納場所として所望のフォルダを選択したり、新たにフォルダを作成することができる。
【００５６】
また「VOISCAPE」には、作成された用件フォルダを管理するための上述の管理ファイルＭＳＦ（「MSGLIST.MSF」）も収納される。この管理ファイルＭＳＦは、図７に示すように、当該管理ファイルＭＳＦを最後に編集した年月日、時分秒及び曜日等が記述された32〔Byte〕のヘッダ（「Header」）の後に、各フォルダ（「FOLDER1」〜「FOLDER3」）のフォルダ名等が記述されたフォルダエントリ（「Folder Entry」）と、そのフォルダ内に作成された各用件フォルダのフォルダ名及びその用件フォルダの作成日時等が記述されたメッセージエントリ（「Message Entry」）とがフォルダごとに順次記述されたデータ構造を有する。
【００５７】
そしてこのボイスケープフォーマットでは、新たなフォルダや新たな用件フォルダが作成されたときには、上述のような各種管理情報が記述されたフォルダエントリやメッセージエントリが管理ファイルＭＳＦに必ず登録される。これによりこのボイスケープフォーマットでは、この管理ファイルＭＳＦに基づいて、所望の用件フォルダがどのフォルダ内にあるかを確実かつ迅速に検索することができるようになされている。
【００５８】
さらに各フォルダ（「FOLDER1」〜「FOLDER3」）内には、それぞれユーザの使用状況に応じて１又は複数の用件フォルダ（「03072400」〜「03072408」）が作成され、これら各用件フォルダ内に、録音により得られた圧縮音声データＤ２の音声ファイル（「03072400.MSV」）と、かかる録音中に撮影された各ブックマーク画像の圧縮画像データＤ４の画像ファイル（「P0000000.JPG」〜「P0000003.JPG」）と、各画像ファイルを管理するための画像管理ファイルＰＩＮ（「03072400.PIN」）とが収納される。なお、かかる音声ファイルは、既存のＩＣレコーダにおいて採用されている音声ファイルのフォーマットと同じファイルフォーマットを有する。
【００５９】
画像管理ファイルＰＩＮは、図８に示すように、この画像管理ファイルＰＩＮを最後に編集した年月日、時分秒及び曜日等が記述されたヘッダ（「Header」）の後に、複数のピクチャエントリ（「Picture Entry」）が配置されたデータ構造を有する。
【００６０】
この場合、１番目のピクチャエントリには、代表画像が設定されている場合のそのブックマーク画像の画像ファイルのファイル名及び当該ブックマーク画像の音声ファイル（音声データＤ１）に対する対応位置（時・分・秒）等が記述される。なお、代表画像が設定されていない場合には、各ピクチャエントリの先頭に記述される当該領域がピクチャエントリであることを示すピクチャＩＤ以外の当該１番目のピクチャエントリのすべての部分にゼロデータが格納される。
【００６１】
また２番目以降のピクチャエントリには、対応する音声の録音中に撮影された各ブックマーク画像の画像ファイルのファイル名及びそのブックマーク画像の当該音声に対する対応位置（時、分及び秒）等が記述される。この場合、２番目以降のピクチャエントリは、新たなブックマーク画像の画像ファイルが記録されるごとに順次後ろに付加されるものであるため、画像管理ファイルＰＩＮにおける２番目以降のピクチャエントリの並び順が、そのまま対応する音声の先頭からのその画像ファイルが対応付けられた位置の順番を表すこととなる。
【００６２】
このようにしてこのボイスケープフォーマットでは、この画像管理ファイルＰＩＮに基づいて、その用件フォルダの代表画像や各ブックマーク画像の音声に対する対応位置を検索することができる。またこのように音声ファイルとこれに関連付けられた各ブックマーク画像の画像ファイルとを同一のフォルダ（用件フォルダ）内に収納することによって、これらデータを外部のパーソナルコンピュータに取り込んでエクスプローラで見たときに、音声ファイルと画像ファイルとの関連を認識し易く、この結果ユーザが誤って音声ファイルや画像ファイルを削除するのを抑止し得るようになされている。
【００６３】
（２）本実施の形態による用件フォルダ編集システム４０の構成
（２−１）用件フォルダ編集システム４０の構成
ここで図９は、このようなカメラ付きＩＣレコーダ１に対する各種設定や、用件フォルダの追加若しくはコピー、又はカメラ付きＩＣレコーダ１内に保存された用件フォルダの視聴若しくは編集等をパーソナルコンピュータ１を用いて行い得るようになされた用件フォルダ編集システム４０を示すものである。この用件フォルダ編集システム４０は、かかるカメラ付きＩＣレコーダ１及びパーソナルコンピュータ４１がＵＳＢケーブル４２を介して接続されることにより構成されている。
【００６４】
パーソナルコンピュータ４１は、一般家庭に設置される汎用のものであり、図１０に示すように、ＣＰＵ５０、各種プログラムが格納されたＲＯＭ５１、ＣＰＵ５０のワークメモリとしてのＲＡＭ５２、各種アプリケーションソフトウェアが格納されたハードディスク装置５３、画像データに対して所定の信号処理を施す画像処理部５４、音声データに対してディジタル／アナログ変換処理等の所定の信号処理を施す音声処理部５５、インタフェース５６、ＵＳＢコネクタ５７がバス５８を介して相互に接続されることにより本体部５９が構成されている。またインタフェース５６にはキーボード６０及びマウス６１が接続されると共に、画像処理部５４にはディスプレイ６２が接続され、音声処理部５５にはスピーカ６３が接続されている。
【００６５】
さらにハードディスク装置５３には、カメラ付きＩＣレコーダ１のメーカからＣＤ−ＲＯＭに記録されて提供されたものをインストールし、又はユーザがインターネット等のネットワークを通じて当該メーカのホームページからダウンロードした、上述のような用件フォルダの視聴又は編集等の機能を有するアプリケーションソフトウェア（以下、これを用件フォルダ編集用アプリと呼ぶ）が格納されている。
【００６６】
そしてＣＰＵ５０は、キーボード６０やマウス６１が操作されて用件フォルダ編集用アプリの起動命令が入力されると、ハードディスク装置５３から当該用件フォルダ編集用アプリを読み出して、これをＲＡＭ５２に展開する。
【００６７】
またＣＰＵ５０は、この後この用件フォルダ編集用アプリやユーザ操作に基づき、必要に応じて画像処理部５４を制御することにより、後述のようなメインウインド７０（図１１）等の各種ＧＵＩ（Graphical User Interface）をディスプレイ６２に表示させる一方、必要に応じてＵＳＢコネクタ５７を介して接続されたカメラ付きＩＣレコーダ１と通信を行うことにより、当該カメラ付きＩＣレコーダ１との間で用件フォルダのファイルデータや図７について上述した管理ファイルＭＳＦのファイルデータの読書きを行ったり、カメラ付きＩＣレコーダ１に対してユーザ操作に応じた各種設定を行う。
【００６８】
さらにＣＰＵ５０は、かかるカメラ付きＩＣレコーダ１から用件フォルダのファイルデータや管理ファイルＭＳＦのファイルデータを読み出したときには、必要に応じて用件フォルダ内の対応するブックマーク画像の画像ファイルのデータ（以下、これを画像ファイルデータと呼ぶ）や、管理ファイルのファイルデータに基づく所定の管理データを画像処理部５４に与えることにより、この画像ファイルデータや管理データに基づく画像や管理情報をディスプレイ６２に表示されたＧＵＩ内の対応する位置に表示させる。またＣＰＵ５０は、必要に応じてカメラ付きＩＣレコーダ１から読み出した用件フォルダ内の音声ファイルのファイルデータ（以下、これを音声ファイルデータと呼ぶ）を音声処理部５５に与えることにより、当該音声ファイルデータに基づく音声をスピーカ３１から出力させる。
【００６９】
（２−２）メインウインド７０の構成
ここで、ＣＰＵ５０は、用件フォルダ編集用アプリの起動時、ＵＳＢケーブル４２を介してカメラ付きＩＣレコーダ１と通信することにより、管理ファイルＭＳＦ（図７）のファイルデータを当該カメラ付きＩＣレコーダ１から読み出すと共に、この後この管理ファイルＭＳＦのファイルデータ等に基づいて画像処理部５４を制御することにより、図１１に示すようなメインウインド７０をディスプレイ６２に表示させる。
【００７０】
このメインウインド７０は、ツールバー７１、ＩＣレコーダ情報表示部７２、パーソナルコンピュータ情報表示部７３、サムネイル表示部７４及びプレーヤ部７５から構成されるもので、ツールバー７１には、「ファイル」、「編集」及び「表示」等のこの用件フォルダ編集用アプリによって行える内容の項目名やその内容のアイコンが表示される。
【００７１】
そしてユーザは、このツールバー７１に表示されたＩＣレコーダ設定機能に対応付けられたアイコン７１Ａをクリックすることによって所定の設定ウインド（図示せず）をこのメインウインド７０に重ねて表示させることができ、この設定ウインドを用いてカメラ付きＩＣレコーダ１の各種設定を行うことができる。
【００７２】
ＩＣレコーダ情報表示部７２は、デバイス選択コンボボックス８０、残量表示欄８１、フォルダ情報表示欄８２及び用件フォルダ表示欄８３から構成され、カメラ付きＩＣレコーダ１から読み出した当該カメラ付きＩＣレコーダ１に設定されているユーザ名やそのカメラ付きＩＣレコーダ１の機種名が最上段に表示されると共に、当該カメラ付きＩＣレコーダ１の録音可能な残量時間が残量表示欄８１に表示される。
【００７３】
またＩＣレコーダ情報表示部７２では、カメラ付きＩＣレコーダ１から読み出した管理フォイルＭＳＦ（図７）のファイルデータに基づいて、当該カメラ付きＩＣレコーダ１において設定されている各フォルダ（図６における「FOLDER1」〜「FOLDER4」）のフォルダ名やそのフォルダ内に収納されている用件フォルダの数がフォルダ情報表示欄８２に一覧表示される。
【００７４】
そしてＩＣレコーダ情報表示部７２においては、フォルダ情報表示欄８２に表示された各フォルダの中から所望の１つのフォルダをマウス操作により選択することによって、そのフォルダに収納されている各用件フォルダのフォルダ名や録音日時及び録音時間等の所定の情報をテキスト形式で用件フォルダ表示欄８３に一覧表示させることができる。
【００７５】
なおＩＣレコーダ情報表示部７２では、このときの設定を変えることによって、かかるテキスト形式での一覧表示に代えて、図１２に示すように、ＩＣレコーダ情報表示部７２のフォルダ情報表示欄８２において選択したフォルダ内に登録されている各用件フォルダの代表画像のサムネイル画像Ｐ１０〜Ｐ１２を用件フォルダ表示欄８３に一覧表示させることもできる。
【００７６】
そしてユーザは、この用件フォルダ表示欄８３にテキスト情報又はサムネイル画像Ｐ１０〜Ｐ１２が表示された各用件フォルダの中から、所望する用件フォルダをマウス操作により１つ選択することができる。そして１つの用件フォルダが選択されると、その用件フォルダ内の各ブックマーク画像のサムネイル画像Ｐ２０〜Ｐ２３が、当該ブックマーク画像が関連づけられた録音音声のタイムコードと共にサムネイル表示部７４内に一覧表示される。
【００７７】
またこのときプレーヤ部７５の上段には、その用件フォルダに設定されたユーザ名と、上述のようにして選択された用件フォルダのファイル名と、その用件フォルダの録音日時と、その用件フォルダの全録音時間のうちの現在の再生時間とがそれぞれ表示される。
【００７８】
さらに上述のように１つの用件フォルダが選択されると、プレーヤ部７５の下段に設けられた各種基本的な操作を行うための複数のボタン９０Ａ〜９０Ｊからなる基本操作ボタン群９０が活性表示される。かくしてユーザは、この活性表示された基本操作ボタン群９０のうちの再生ボタン９０Ａ、停止ボタン９０Ｂ、早送り再生ボタン９０Ｃ又は早戻し再生ボタン９０Ｄをクリックすることによって、パーソナルコンピュータ４１上においてかかる用件フォルダを再生させたり、当該再生を停止させたり、例えば20秒早送りして３秒間再生する動作を繰り返す早送り再生を実行させたり又は例えば20秒早戻しして３秒間再生する動作を繰り返す早戻し再生を実行させることができる。
【００７９】
なお基本操作ボタン群９０には、この他イージーサーチボタン９０Ｅ、９０Ｆ、ブックマークジャンプボタン９０Ｇ、９０Ｈ及び用件切替えボタン９０Ｉ、９０Ｊが設けられており、このうちイージーサーチボタン９０Ｅ、９０Ｆをクリックすることによって、そのときパーソナルコンピュータ４１上で再生されている用件フォルダについて、10秒だけ早送りして再生動作に戻る早送りイージーサーチ又は３秒だけ戻って再生動作に戻る早戻しイージーサーチを実行させることができる。
【００８０】
またブックマークジャンプボタン９０Ｇ、９０Ｈをクリックすることによって、パーソナルコンピュータ４１上で再生されている用件フォルダの再生位置を前又は次のブックマーク画像が関連付けられたタイムコード位置にまでジャンプさせることができ、用件切替えボタン９０Ｉ、９０Ｊをクリックすることによって、再生対象の用件フォルダをＩＣレコーダ情報表示部７２の用件フォルダ表示欄８３に表示された前又は次の用件フォルダに切り替えることができる。
【００８１】
なおメインウインド７０では、サムネイル表示部７４内に表示されたサムネイル画像Ｐ２０〜Ｐ２２の中から所望のサムネイル画像Ｐ２０〜Ｐ２２をダブルクリックすることによっても、対応する用件フォルダをパーソナルコンピュータ４１上においてそのサムネイル画像Ｐ２０〜Ｐ２２が関連付けられた音声位置から再生させることができる。かくしてユーザは、サムネイル表示部７４内に表示されたサムネイル画像Ｐ２０〜Ｐ２２に基づいて、対応する用件フォルダの所望位置に迅速にアクセスすることができる。
【００８２】
一方、基本操作ボタン群９０の右横には再生スライダーバー９１が設けられており、上述のように１つの用件フォルダが選択されたときには、その用件フォルダに含まれる音声ファイルの最初、中央及び最後のタイムコードが再生スライダーバー９１に沿ってその下側にそれぞれ表示される。そしてその用件フォルダをパーソナルコンピュータ４１上で再生しているときには、現在の再生位置に合わせてスライダ９１Ａが右方向に順次移動するように表示される。
【００８３】
また再生スライダーバー９１の上側には、その用件フォルダ内の各ブックマーク画像が関連付けられたタイムコード位置にそれぞれ対応させて、しおり形状のマーク（以下、これをブックマークと呼ぶ）９２が表示される。
【００８４】
そして用件フォルダの再生時、スライダ９１がいずれかのブックマーク９２と対応付けられたタイムコード位置を経過したとき（すなわち音声フォルダの再生位置がいずれかのブックマーク画像と関連付けられたタイムコード位置を経過したとき）には、そのブックマーク９２が例えば赤色に強調表示されると共に、サムネイル表示部７４に表示されたサムネイル画像Ｐ２０〜Ｐ２２のうちのそのブックマーク９２（そのタイムコードに関連付けられたブックマーク画像）と対応するサムネイル画像Ｐ２０〜Ｐ２２が赤枠で囲まれるように強調表示され、当該サムネイル画像Ｐ２０〜Ｐ２２の下側に表示されたタイムコードが例えば赤色で強調表示される。かくしてユーザは、これらの強調表示に基づいて、全体から見た現在の再生位置を容易に認識することができる。
【００８５】
さらにこのとき再生スライダーバー９１の右側に設けられたピクチャウインド９３には、サムネイル表示部７４に表示されたサムネイル画像Ｐ２０〜Ｐ２２のうちのかかる強調表示されたブックマーク９２と対応付けられたサムネイル画像Ｐ２０〜Ｐ２２のもとのブックマーク画像（すなわち音声フォルダのそのタイムコードに関連付けられたブックマーク画像）が表示される。
【００８６】
この場合ピクチャウインド９３は、その右上に表示された拡大ボタン９３Ａをクリックすることによって、図１３に示すように、メインウインド７０から分離させた状態に拡大表示させることができ、これによりそのブックマーク画像をより詳細に目視確認することができる。またこの拡大表示されたピクチャウインド９４は、その右上に表示された閉ボタン９４Ａをクリックすることによって、図１１のようにもとの位置に縮小表示させることができる。
【００８７】
さらにプレーヤ部７５の中段には、用件フォルダ再生時における音量をオン／オフするためのミュートボタン９５や、音量設定用のスライダーバー９６などの各種操作ボタン及びいくつかのスライダーバーが設けられており、これらをクリックやドロップアンドドラッグ操作することによって、対応する機能を発揮させることができる。
【００８８】
またプレーヤ部７５の中段の最も右側には編集ボタン９７が設けられており、この編集ボタン９７をクリックすることによって所定の編集ウインド（図示せず）をこのメインウインド７０に重ねて表示させることができる。かくしてユーザは、この編集ウインドを用いて、そのとき選択している用件フォルダ内の音声ファイルに基づく録音音声に対して各ブックマーク画像が関連付けられた位置を変更する等の編集作業を行うことができる。
【００８９】
他方、パーソナルコンピュータ情報表示部７３は、フォルダ情報表示欄１００及びファイル情報表示欄１０１から構成されている。そしてフォルダ情報表示欄１００には、そのパーソナルコンピュータ４１内の各フォルダのフォルダ構造が階層的に表示され、当該フォルダ情報表示欄１００に表示された各フォルダの中からユーザ操作により指定された１つのフォルダに収納されている各ファイルのうち、用件フォルダ編集用アプリが取り扱える所定フォーマットの音声ファイルのファイル名や作成日時等の情報がファイル情報表示欄１０１に表示される。
【００９０】
そしてこのメインウインド７０では、ＩＣレコーダ情報表示部７２の用件フォルダ情報表示欄８３に表示された各用件フォルダの中から１つの用件フォルダを選択すると共に、パーソナルコンピュータ情報表示部７３のフォルダ情報表示欄１００に表示された各フォルダの中から１つのフォルダを選択し、この後ＩＣレコーダ情報表示部７２及びパーソナルコンピュータ情報表示部７３間に表示された保存ボタン１０２をクリックすることによって、カメラ付きＩＣレコーダ１からそのＩＣレコーダ情報表示部７２において選択した用件フォルダのファイルデータを読み込ませて、そのコピーをパーソナルコンピュータ情報表示部７３において選択したパーソナルコンピュータ４１内のフォルダ内に格納させることができる。
【００９１】
またメインウインド７０では、これと逆に、パーソナルコンピュータ情報表示部７３のファイル情報表示欄１０１に表示された各音声ファイルの中から１つの音声ファイルを選択すると共に、ＩＣレコーダ情報表示部７２のフォルダ情報表示欄８２に表示された各フォルダの中から１つのフォルダを選択し、この後ＩＣレコーダ情報表示部７２及びパーソナルコンピュータ情報表示部７３間に表示された追加ボタン１０３をクリックすることによって、パーソナルコンピュータ情報表示部７３において選択した音声ファイルのファイルデータをカメラ付きＩＣレコーダ１に転送させて、これをカメラ付きＩＣレコーダ１内のフラッシュメモリ２９（図４）内に格納させることができる。このときカメラ付きＩＣレコーダ１では、かかる音声ファイルのファイルデータが、ＩＣレコーダ情報表示部７２において選択したフォルダ内に新たに作成した用件フォルダに収納した状態に格納され、これに応じて管理ファイルＭＳＦ（図７）のファイルデータが更新される。
【００９２】
（２−３）フォルダアイコン変更機能
かかる構成に加えてこの用件フォルダ編集システム４０には、フォルダ情報表示欄８２に表示されたフォルダの規定のフォルダアイコンを変更するフォルダアイコン変更機能が搭載されている。
【００９３】
実際上、メインウインド７０では、図１４に示すように、ＩＣレコーダ情報表示部７２のフォルダ情報表示欄８２に表示された複数のフォルダの中から、フォルダアイコンを変更するフォルダをマウス操作により選択した後に、ツールバー７１に表示されたＩＣレコーダアイコン７１Ｂをマウス操作により選択することによって、図１５に示すようなツールメニューＴＭＵをこのメインウインド７０に重ねてＩＣレコーダアイコン７１Ｂの下側に表示させることができる。
【００９４】
なおメインウインド７０では、フォルダアイコンを変更するフォルダを右クリックのマウス操作により選択することによっても、図１６に示すようなショートカットメニューＳＭＵをこのメインウインド７０に重ねてフォルダアイコンを変更するフォルダの右側に表示させることができる。
【００９５】
そしてユーザは、このツールメニューＴＭＵ又はショートカットメニューＳＭＵに表示された各メニューの中から、「フォルダアイコンの変更」メニューをマウスを操作することにより選択することができる。そしてメインウインド７０では、「フォルダアイコンの変更」メニューが選択されると、図１７に示すようなフォルダアイコン変更ウインド１１０がディスクプレイ６２に表示される。
【００９６】
なおメインウインド７０では、図１８に示すように、ツールバー７１に表示されたフォルダアイコン変更アイコン７１Ｃをマウス操作により選択することによっても、図１７に示すようなフォルダアイコン変更ウインド１１０をディスクプレイ６２に表示させることができる。
【００９７】
このフォルダアイコン変更ウインド１１０は、図１７のようにフォルダアイコン情報表示部１１１、決定ボタン１１２、キャンセルボタン１１３及び終了ボタン１１４から構成されるもので、フォルダアイコン情報表示部１１１では、現在表示されている規定のフォルダアイコン及びそのフォルダタイトル並びに「スケジュール」、「会議」及び「メモ」等を特徴的に模ったフォルダアイコン及びそのフォルダタイトルを表示させる。
【００９８】
またフォルダアイコン情報表示部１１１では、図１９に示すように、スクロールバー１１５を下側にスクロールさせると、上述の「スケジュール」、「会議」及び「メモ」等を特徴的に模ったフォルダアイコン及びそのフォルダタイトルのほかに、フォルダタイトルのない所定のイメージを想起させるようなフォルダアイコン（以下、これをタイトルなしフォルダアイコンと呼ぶ）を表示させることができる。
【００９９】
なおフォルダアイコン情報表示部１１１では、これらタイトルなしフォルダアイコンを右クリックのマウス操作により選択することによって、図２０に示すようなショートカットメニューＳＭＵをこのフォルダアイコン変更ウインド１１０に重ねて当該タイトルなしフォルダアイコンの右側に表示させることができる。
【０１００】
そしてユーザは、このショートカットメニューＳＭＵに表示された各メニューの中から、「タイトルの変更」メニューをマウスを操作することにより選択することができる。そしてフォルダアイコン情報表示部１１１では、「タイトルの変更」メニューが選択されると、図２１に示すようなタイトルなしフォルダアイコンにおけるフォルダタイトルをキーボード操作により入力することができる。
【０１０１】
さらにフォルダアイコン情報表示部１１１では、カメラ付きＩＣレコーダ１のメーカからＣＤ−ＲＯＭ（Compact Disc-Read Only Memory）に記録されたものをインストールし、ユーザがインターネット等のネットワークを通じて当該メーカのホームページ等からダウンロードし、又はユーザが自己で作成したフォルダアイコン及びそのフォルダタイトルを表示させることができる。
【０１０２】
このときフォルダアイコン情報表示部１１１では、カメラ付きＩＣレコーダ１及びパーソナルコンピュータ４１がＵＳＢケーブル４２を介して接続されたときに、フォルダアイコン及びそのフォルダタイトルを共有する。
【０１０３】
そしてユーザは、図２２に示すように、このフォルダアイコン情報表示部１１１の中から、予め選択されている規定のフォルダアイコン及びそのフォルダタイトルに代えて、ユーザが所望するフォルダアイコン及びそのフォルダタイトルをマウスを操作することにより選択することができる。そしてメインウインド７０では、フォルダアイコン変更ウインド１１０においてユーザが所望するフォルダアイコン及びそのフォルダタイトルが選択され、その後決定ボタン１１２が選択されると、図２３に示すようなユーザの所望したフォルダアイコンをフォルダ情報表示欄８２に表示させることができる。
【０１０４】
これに対してメインウインド７０では、フォルダアイコン変更ウインド１１０においてキャンセルボタン１１３又は終了ボタン１１４が選択されると、このフォルダアイコン変更ウインド１１０を終了させる。
【０１０５】
またメインウインド７０では、このときの設定を変えることにより、フォルダアイコン変更ウインド１１０においてユーザが所望するフォルダアイコン及びそのフォルダタイトルが選択され、その後決定ボタン１１２が選択されると、図２４に示すようなユーザの所望したフォルダアイコンと共に、そのフォルダタイトルをフォルダ情報表示欄８２に表示させることもできる。
【０１０６】
さらにメインウインド７０では、ユーザの所望したフォルダアイコンのフォルダを右クリックのマウス操作により選択することによって、図２５に示すようなショートカットメニューＳＭＵをこのメインウインド７０に重ねてユーザの所望したフォルダアイコンのフォルダの右側に表示させる。
【０１０７】
そしてユーザは、このショートカットメニューＳＭＵに表示された各メニューの中から、「タイトルの変更」メニューをマウスを操作することにより選択することができる。そしてメインウインド７０では、「タイトルの変更」メニューが選択されると、図２６に示すようなユーザの所望したフォルダにおけるフォルダタイトルを、キーボード操作により入力することができる。
【０１０８】
このようにしてこの用件フォルダ編集システム４０では、フォルダ情報表示欄８２に表示されたフォルダ規定のフォルダアイコンを、ユーザが所望するフォルダアイコンに変更することができるようになされている。
【０１０９】
なおパーソナルコンピュータ４１は、上述のようにフォルダ情報表示欄８２に表示されたフォルダ規定のフォルダアイコンをユーザの所望するフォルダアイコンに変更すると、フォルダアイコン変更コマンドを生成し、これをＵＳＢケーブル４２を介してカメラ付きＩＣレコーダ１に送出する。
【０１１０】
そしてカメラ付きＩＣレコーダ１のＣＰＵ２４は、かかるフォルダアイコン変更コマンドに基づいて対応する用件フォルダと対応付けられているフォルダアイコンの設定を変更し、この後フォルダ選択画面３４の表示命令が入力されたときには、図２７に示すように、フォルダ選択画面３４内の対応するフォルダアイコンを変更し、これをＬＣＤ７に表示させる。
【０１１１】
（２−４）フォルダアイコン変更処理手順
ここでパーソナルコンピュータ４１のＣＰＵ５０（図１０）は、上述のようなメインウインド７０（図１１）において選択されたフォルダアイコン変更処理を、図２８に示すフォルダアイコン変更処理手順ＲＴに従って実行する。
【０１１２】
すなわちＣＰＵ５０は、キーボード６０やマウス６１が操作されて用件フォルダ編集用アプリの起動命令が入力されると、このフォルダアイコン変更処理手順ＲＴをステップＳＰ０において開始し、続くステップＳＰ１において、そのときＵＳＢ接続されているカメラ付きＩＣレコーダ１にアクセスして、対応する用件フォルダ内のすべての画像ファイルのファイルデータ及び画像管理ファイルＰＩＮ（図８）のファイルデータと、管理ファイルＭＳＦ（図７）内のその用件フォルダのメッセージエントリ（図７の「Message Entry」）のデータとを読み出す。
【０１１３】
続いてＣＰＵ５０は、ステップＳＰ２に進んで、対応する用件フォルダ内のすべての画像ファイルのファイルデータ及び画像管理ファイルＰＩＮ（図８）のファイルデータと、管理ファイルＭＳＦ（図７）内のその用件フォルダのメッセージエントリ（図７の「Message Entry」）のデータとをディスプレイ６２に表示されたメインウインド７０内の対応する位置に表示させる。
【０１１４】
次いでＣＰＵ５０は、ステップＳＰ３に進んで、ＩＣレコーダ情報表示部７２のフォルダ情報表示欄８２に表示された各フォルダの中から、フォルダアイコンを変更するフォルダがクリックされ、ツールバー７１に表示されたＩＣレコーダボタン７１Ｂがクリックされるのを待ち受ける。
【０１１５】
そしてＣＰＵ５０は、やがてかかる操作が入力されると、ステップＳＰ４に進んで、フォルダアイコン変更ウインド１１０をディスクプレイ６２に表示させる。
【０１１６】
続いてＣＰＵ５０は、この後ステップＳＰ５に進んで、フォルダアイコン情報表示部１１１の中から、予め選択されている規定のフォルダアイコンに代えて、ユーザの所望するフォルダアイコンがクリックされ、決定ボタン１１２がクリックされるのを待ち受ける。
【０１１７】
そしてＣＰＵ５０は、やがてかかる操作が入力されると、ステップＳＰ６に進んで、ユーザの所望したフォルダアイコンをフォルダ情報表示欄８２に表示させる。
【０１１８】
やがてＣＰＵ５０は、この後ステップＳＰ７に進んで、用件フォルダ編集用アプリが終了操作されたか否かを判断し、否定結果を得るとステップＳＰ３に戻り、この後ステップＳＰ３〜ステップＳＰ７について同様の処理を繰り返す。そしてＣＰＵ２４は、やがてユーザが用件フォルダ編集用アプリを終了操作することによりステップＳＰ７において肯定結果を得ると、ステップＳＰ８に進んでこのフォルダアイコン変更処理手順ＲＴを終了する。
【０１１９】
なおＣＰＵ５０は、ユーザの所望するフォルダアイコンがクリックされ、決定ボタン１１２がクリックされると、フォルダアイコン変更コマンドを生成して、これをカメラ付きＩＣレコーダ１に送出し、この結果カメラ付きＩＣレコーダ１は、設定されている各フォルダ（図６における「FOLDER1」〜「FOLDER4」）のフォルダアイコンを変更するようになされている。
【０１２０】
（３）本実施の形態の動作及び効果
以上の構成において、この用件フォルダ編集システム４０では、カメラ付きＩＣレコーダ１に設定されている各フォルダ（図６における「FOLDER1」〜「FOLDER4」）のフォルダをパーソナルコンピュータ４１に読み出して、ＩＣレコーダ情報表示部７２のフォルダ情報表示欄８２に表示された各フォルダの中から、ユーザに選択されたフォルダのフォルダアイコンを、ユーザが所望するフォルダアイコンに変更する。
【０１２１】
従って、この用件フォルダ編集システム４０では、変更したフォルダのフォルダアイコンに基づいて、当該フォルダに格納されている用件フォルダの内容をユーザが直感的に認識することができるため、特に、小さなＬＣＤであるカメラ付きＩＣレコーダ１のＬＣＤ７に表示させたときの視認性を向上させることができる。
【０１２２】
以上の構成によれば、カメラ付きＩＣレコーダ１に設定されている各フォルダ（図６における「FOLDER1」〜「FOLDER4」）のフォルダをパーソナルコンピュータ４１に読み出して、ＩＣレコーダ情報表示部７２のフォルダ情報表示欄８２に表示された各フォルダの中から、ユーザに選択されたフォルダのフォルダアイコンを、ユーザが所望するフォルダアイコンに変更することにより、変更したフォルダのフォルダアイコンに基づいて、当該フォルダに格納されている用件フォルダの内容をユーザが直感的に認識することができるため、特に、小さなＬＣＤであるカメラ付きＩＣレコーダ１のＬＣＤ７に表示させたときの視認性を向上させることができ、かくして使い勝手を格段的に向上させ得る用件フォルダ編集システムを実現できる。
【０１２３】
（４）他の実施の形態
なお上述の実施の形態においては、本発明を用件フォルダ編集システム４０を構成するパーソナルコンピュータ４１に適用するようにした場合について述べたが、本発明はこれに限らず、１又は複数の音声位置にそれぞれ画像情報が関連付けられた音声情報を再生する再生装置に広く適用することができる。
【０１２４】
また上述の実施の形態においては、パーソナルコンピュータ４１及びカメラ付きＩＣレコーダ１をＵＳＢケーブル４２を介して接続することで、上述のようにパーソナルコンピュータ４１上でカメラ付きＩＣレコーダ１内に保存された用件ファイルを再生等できるようにした場合について述べたが、本発明はこれに限らず、例えばカメラ付きＩＣレコーダ１のフラッシュメモリ２９を着脱自在とし、これをパーソナルコンピュータ４１に装着することで、当該フラッシュメモリ２９に格納されている用件ファイルを再生等できるようにしても良い。
【０１２５】
さらに上述の実施の形態においては、各種命令を入力するためのＧＵＩとしてのメインウインド７０を図１１のように構成するようにした場合について述べたが、本発明はこれに限らず、この他種々の構成を広く適用することができる。
【０１２６】
さらに上述の実施の形態においては、ユーザの所望したフォルダアイコンに変更した後に、ユーザの所望したフォルダにおけるフォルダタイトルをキーボード操作により変更させた場合について述べたが、本発明はこれに限らず、フォルダアイコンを変更しなくとも、フォルダタイトルを変更させることができる。
【０１２７】
さらに上述の実施の形態においては、各ブックマーク画像の関連付けられた音声位置にそれぞれ対応させて再生スライダーバー９１の上側に表示するブックマーク９２をしおり形状とするようにした場合について述べたが、この他種々のマーク形態を広く適用することができる。
【０１２８】
さらに上述の実施の形態においては、ＩＣレコーダ情報表示部７２のフォルダ情報表示欄８２に表示された複数のフォルダの中から、フォルダアイコンを変更するフォルダをマウス操作により選択した場合について述べたが、本発明はこれに限らず、フォルダが１つの場合に適用するようにしても良く、グラフィカルインターフェースに表示された１又は複数のフォルダの中から、フォルダアイコンを変更するフォルダを選択すれば良い。
【０１２９】
さらに上述の実施の形態においては、用件フォルダの再生時に、再生スライダーバー９１のスライダ９１がいずれかのブックマーク９２と対応付けられたタイムコード位置を経過したときに、そのブックマーク９２を赤色で表示すると共に、サムネイル表示部７４に表示されたサムネイル画像Ｐ２０〜Ｐ２２のうちのそのブックマーク９２と対応するサムネイル画像Ｐ２０〜Ｐ２２を赤枠で囲み、当該サムネイル画像Ｐ２０〜Ｐ２２の下側に表示されたタイムコードを赤色で表示するようにしてこれらを強調表示するようにした場合について述べたが、本発明はこれに限らず、強調表示の方法としては、この他種々の表示方法を広く適用することができる。
【産業上の利用可能性】
【０１３０】
本発明は、カメラ付きＩＣレコーダに対応した用件フォルダ編集システムのほか、記録装置と情報処理装置とからなる編集システムに広く適用することができる。
【図面の簡単な説明】
【０１３１】
【図１】本実施の形態によるカメラ付きＩＣレコーダの外観構成を示す斜視図である。
【図２】本実施の形態によるカメラ付きＩＣレコーダの外観構成を示す斜視図である。
【図３】本実施の形態によるカメラ付きＩＣレコーダの外観構成を示す斜視図である。
【図４】本実施の形態によるカメラ付きＩＣレコーダの内部構成を示すブロック図である。
【図５】用件フォルダ選択画面等の構成を示す平面図である。
【図６】ボイスケープフォーマットのディレクトリ構造を示す概念図である。
【図７】用件フォルダ管理ファイルのデータ構造を示す概念図である。
【図８】画像管理ファイルのデータ構造を示す概念図である。
【図９】本実施の形態による用件ファイル編集システムの構成を示す略線図である。
【図１０】パーソナルコンピュータの構成を示すブロック図である。
【図１１】メインウインドの構成を示す平面図である。
【図１２】ＩＣレコーダ情報表示部の他の構成を示す平面図である。
【図１３】ピクチャウインドを拡大表示した様子を示す平面図である。
【図１４】変更するフォルダアイコンの選択の説明に供する平面図である。
【図１５】ツールメニューの表示及び「フォルダアイコンの変更」メニューの選択の説明に供する平面図である。
【図１６】ショートカットメニューの表示及び「フォルダアイコンの変更」メニューの選択の説明に供する平面図である。
【図１７】フォルダアイコン変更ウインドの構成を示す平面図である。
【図１８】フォルダアイコン変更ボタンの選択の説明に供する平面図である。
【図１９】フォルダアイコン変更ウインドの構成を示す平面図である。
【図２０】フォルダアイコン変更ウインドにおけるショートカットメニューの表示の説明に供する平面図である。
【図２１】フォルダアイコン変更ウインドにおけるキーボード操作によるフォルダアイコンの名前の入力の説明に供する平面図である。
【図２２】フォルダアイコン変更ウインドにおけるフォルダアイコンの選択の説明に供する平面図である。
【図２３】フォルダアイコンの変更の説明に供する平面図である。
【図２４】フォルダアイコン及びその名前の変更の説明に供する平面図である。
【図２５】ショートカットメニューの表示及び「タイトルの変更」メニューの選択の説明に供する平面図である。
【図２６】フォルダアイコンのタイトルの変更の説明に供する平面図である。
【図２７】フォルダ選択画面の構成を示す平面図である。
【図２８】フォルダアイコン変更処理手順を示すフローチャートである。
【符号の説明】
【０１３２】
１……カメラ付きＩＣレコーダ、２４、５０……ＣＰＵ、２９……フラッシュメモリ、４０……用件ファイル編集システム、４１……パーソナルコンピュータ、６０……キーボード、６１……マウス、６２……ディスプレイ、６３……スピーカ、７０……メインウインド、７１……ツールバー、７１Ｂ……ＩＣレコーダアイコン、７１Ｃ……フォルダアイコン変更アイコン、７２……ＩＣレコーダ情報表示部、８２……フォルダ情報表示欄、１１０……フォルダアイコン変更ウインド、１１１……フォルダアイコン情報表示部、１１２……決定ボタン、ＲＴ……フォルダアイコン変更処理手順、ＳＭＵ……ショートカットメニュー、ＴＭＵ……ツールメニュー。
【図１】
2006173797.tif 000003
【図２】
2006173797.tif 000004
【図３】
2006173797.tif 000005
【図４】
2006173797.tif 000006
【図５】
2006173797.tif 000007
【図６】
2006173797.tif 000008
【図７】
2006173797.tif 000009
【図８】
2006173797.tif 000010
【図９】
2006173797.tif 000011
【図１０】
2006173797.tif 000012
【図１１】
2006173797.tif 000013
【図１２】
2006173797.tif 000014
【図１３】
2006173797.tif 000015
【図１４】
2006173797.tif 000016
【図１５】
2006173797.tif 000017
【図１６】
2006173797.tif 000018
【図１７】
2006173797.tif 000019
【図１８】
2006173797.tif 000020
【図１９】
2006173797.tif 000021
【図２０】
2006173797.tif 000022
【図２１】
2006173797.tif 000023
【図２２】
2006173797.tif 000024
【図２３】
2006173797.tif 000025
【図２４】
2006173797.tif 000026
【図２５】
2006173797.tif 000027
【図２６】
2006173797.tif 000028
【図２７】
2006173797.tif 000029
【図２８】
2006173797.tif 000030